(57)【特許請求の範囲】
【請求項１】
溝部を備えるとともに前記溝部を形成する縁部を備えるダクトレールに取り付けられるダクトレール用照明器具の器具本体であって、長手方向に延びた形状の取付面部であって前記ダクトレールに沿って取り付けられる取付面部を備える器具本体において、
前記取付面部から突出し、長手方向に延びた側面であるガイド部側面部を備え、前記ダクトレールの前記溝部に嵌まり込むガイド部と、
前記取付面部の長手方向の両側の端部のうちの一方の端部に設けられ、前記ダクトレールに固定されるダクトプラグと、
前記取付面部の領域のうち前記取付面部の長手方向の中央よりも前記ダクトプラグが設けられている端部側の領域であるダクトプラグ側領域における前記ガイド部側面部に設けられ、前記溝部に挿入されるとともに前記溝部の前記縁部に係合する爪部と、
前記器具本体の側面部に設けられ、前記ダクトプラグとは独立して前記爪部を前記取付面部の短手方向の中央方向にスライドさせるボタン部と
を備えることを特徴とする器具本体。
【請求項２】
前記溝部は、２つの前記縁部を両側に各々備え、
前記器具本体は、前記両側の縁部の各々に対応して２つの前記爪部を備え、
２つの前記爪部の一方の爪部と他方の爪部とは、前記ダクトプラグ側領域の長手方向の位置のうち互いに異なる位置に設けられることを特徴とする請求項１に記載の器具本体。
【請求項３】
前記取付面部は、前記ダクトプラグ側領域に開口領域を備え、
前記２つの爪部の一方の爪部と他方の爪部とは、前記開口領域を前記取付面部の短手方向にスライド自在に設けられ、
前記器具本体は、さらに、前記一方の爪部がスライドすることに連動して回転する歯車を備え、
前記他方の爪部は、前記歯車の回転に連動してスライドすることを特徴とする請求項２に記載の器具本体。
【請求項４】
前記ダクトプラグは、
回動することにより前記縁部と係合される翼体と、回動することにより前記翼体を回動させるレバー部と、
前記レバー部と連結され、前記レバー部の回動に連動して前記一方の爪部のスライドを阻止するロック機構とを備えることを特徴とする請求項３に記載の器具本体。
【請求項５】
前記取付面部は、前記ダクトプラグ側領域に開口領域を備え、
前記爪部は、前記開口領域を前記取付面の短手方向にスライド自在に設けられることを特徴とする請求項１〜４のいずれかに記載の器具本体。
【請求項６】
前記器具本体は、さらに、
前記爪部の前記取付面部の側の端部から前記側面部まで延設された爪連結部と、
前記爪連結部の先端部に設けられ、前記側面部の切り欠きから露出する爪操作部とを備え、
前記爪部は、前記爪操作部が前記取付面部の短手方向の中央方向に押されることにより前記取付面の短手方向の中央方向にスライドすることを特徴とする請求項５に記載の器具本体。
【請求項７】
前記爪部は、前記溝部の前記縁部に係合する突起を備え、
前記器具本体は、さらに、
前記取付面部から突き出した一対の壁部であって、前記取付面部の短手方向の中央を挟んで対向するように設けられ、前記器具本体が前記ダクトレールに取り付けられた場合に前記溝部に嵌り込む一対の壁部を備え、
前記一対の壁部のうちの少なくとも一方の壁部は、前記爪部の前記突起を貫通させる貫通孔を備える
ことを特徴とする請求項６に記載の器具本体。
【請求項８】
前記爪部は、前記突起を備える突起面部と、前記突起面部の裏面である爪背面部とを備え、
前記器具本体は、さらに、
前記爪部の前記爪背面部と、前記爪背面部に対向する壁部との間に配置される弾性体を備え、
前記爪部は、前記爪操作部に対して前記取付面部の短手方向の中央方向に押す力が与えられた場合には前記弾性体が縮んで前記突起が前記貫通孔から突出せず、前記爪操作部に対して前記押す力が解除された場合には、前記弾性体の弾性力により前記突起が前記貫通孔から突出する
ことを特徴とする請求項７に記載の器具本体。
【請求項９】
前記爪部は、前記ダクトプラグ側領域のうち、前記器具本体の重心近傍に設けられることを特徴とする請求項１〜８のいずれかに記載の器具本体。
【請求項１０】
前記爪部は、前記ダクトプラグ側領域の長手方向の中央近傍に設けられることを特徴とする請求項１〜８のいずれかに記載の器具本体。
【請求項１１】
請求項１〜請求項１０のいずれかに記載の器具本体と、
光源を備え、前記器具本体に取り付けられる灯具部と、
前記器具本体と前記灯具部とを連結する連結部とを備えることを特徴とする照明器具。
【発明の詳細な説明】
【技術分野】
【０００１】
本発明は、例えば、ダクトレールに取り付けられるダクトレール用照明器具及びダクトレール用照明器具の器具本体に関する。
【背景技術】
【０００２】
ＬＥＤ器具の普及や大光量化などにより、照明用ダクトレールに取付けて使用されるスポットライト器具の重量が、従来のハロゲンランプを使用する器具に比べ増加する傾向にある。重量の増加にともない、施工性が悪化し、不完全取り付けによる器具破損、または器具落下などの不具合発生の要因となることが懸念される。そのため、重量のあるスポットライトなどの照明器具の施工性、安全性の向上がのぞまれている（特許文献１参照）。
【先行技術文献】
【特許文献】
【０００３】
【特許文献１】特開２００３−３１７５３０号公報
【発明の概要】
【発明が解決しようとする課題】
【０００４】
従来技術では、ダクトレールへ取り付けた後には、器具が安定して固定されるが、鉤爪の位置が器具の端部にあるため、鉤爪だけで器具を保持することが困難である。したがって、ダクトプラグのレバーによって固定するまで、作業者は重い器具を天井に押し付けながら作業をする必要があるという課題がある。
【０００５】
本発明は、重量のある照明用ダクトレール用照明器具の施工性の向上及び、器具の落下を防止を目的とする。
【課題を解決するための手段】
【０００６】
本発明に係る器具本体は、溝部と前記溝部を形成する縁部とを備えるダクトレールに取り付けられるダクトレール用照明器具の器具本体であって、長手方向に延びた形状の取付面であって前記ダクトレールに沿って取り付けられる取付面を備える器具本体において、前記取付面の長手方向の両側の端部のうちの一方の端部に設けられ、前記ダクトレールに固定されるダクトプラグと、前記取付面の領域のうち前記取付面の長手方向の中央よりも前記ダクトプラグが設けられている端部側の領域であるダクトプラグ側領域に設けられ、前記溝部に挿入されるとともに前記溝部の前記縁部に係合する爪部とを備えることを特徴とする。
【発明の効果】
【０００７】
本発明に係る器具本体は、溝部と前記溝部を形成する縁部とを備えるダクトレールに取り付けられるダクトレール用照明器具の器具本体であって、長手方向に延びた形状の取付面であって前記ダクトレールに沿って取り付けられる取付面を備える器具本体において、前記取付面の長手方向の両側の端部のうちの一方の端部に設けられ、前記ダクトレールに固定されるダクトプラグと、前記取付面の領域のうち前記取付面の長手方向の中央よりも前記ダクトプラグが設けられている端部側の領域であるダクトプラグ側領域に設けられ、前記溝部に挿入されるとともに前記溝部の前記縁部に係合する爪部とを備えるので、器具本体をダクトレールに取り付ける場合に、爪部のみで器具本体を仮固定することができ、器具本体の施工性を向上させるとともに器具本体の落下を防止することができる。
【図面の簡単な説明】
【０００８】
【図１】実施の形態１に係る照明器具１００の斜視図である。
【図２】実施の形態１に係る器具本体４０を示す図であり、（ａ）はダクトプラグ５０側から視た斜視図、（ｂ）はダクトプラグ５０の反対側から視た斜視図である。
【図３】本実施の形態に係る器具本体４０のダクトプラグ５０及び爪部７０近傍の部分拡大斜視図である。
【図４】図３のＡ−Ａ断面図である。
【図５】図３の爪部７０部分を上方から視た模式図である。
【図６】実施の形態２に係る器具本体４０ｅを示す図であり、（ａ）はダクトプラグ５０側から視た斜視図、（ｂ）はダクトプラグ５０の反対側から視た斜視図である。
【図７】実施の形態２に係る器具本体４０ｅのダクトプラグ５０及び爪部７０近傍の部分拡大斜視図である。
【図８】実施の形態２に係る爪部７０部分を上方から視た模式図である。
【図９】実施の形態３に係る器具本体４０ｆのロック機構を示す図であり、ボタン部８０ａをロックする前の状態を示す図である。
【図１０】実施の形態３に係る器具本体４０ｆのロック機構を示す図であり、ボタン部８０ａをロックした状態を示す図である。
【発明を実施するための形態】
【０００９】
実施の形態１．
図１は、本実施の形態に係る照明器具１００の斜視図である。図２は、本実施の形態に係る器具本体４０を示す図であり、（ａ）はダクトプラグ５０側から視た斜視図、（ｂ）はダクトプラグ５０の反対側から視た斜視図である。図３は、本実施の形態に係る器具本体４０のダクトプラグ５０及び爪部７０近傍の部分拡大斜視図である。図４は、図３のＡ−Ａ断面図である。図５は、図３の爪部７０部分を上方から視た模式図である。
【００１０】
図１に示すように、照明器具１００は、天井面に設置されたダクトレール２０に取り付けられて使用されるダクトレール用照明器具である。照明器具１００は、ＬＥＤなどの光源３１を有する灯具部３０と、内部に電源回路を有する器具本体４０（電源収納部ともいう）とを備える。
【００１１】
ダクトレール２０は、断面矩形状の管状であり、長手方向に細長く延びた形状の照明器具用レールである。ダクトレール２０は、ライティングダクトレール（登録商標）ともいう。ダクトレール２０は、天井面取付面２３が天井面に取り付けられる。天井面取付面２３に対向する面（ダクトレール下面部２４）には、短手方向（幅方向）の中間部が長手方向に細長く開口する開口溝２１（溝部）が形成されている。ダクトレール下面部２４は、開口溝２１を形成する両側の縁部２２を備える。
【００１２】
器具本体４０は、直方体形状であり、灯具部３０に電力を供給するための電源装置等を内部に収納する。器具本体４０は、両側の側面部４２（４２ａ，４２ｂ）（図２参照）と、ダクトレール２０に取り付けられる面である取付面４４（図２参照）と、取付面４４に対向する面である底面部４３と、長手方向の一方の端部である灯具連結部端面部４６と、長手方向の他方の端部である端面部４５（図２参照）とを備える。
【００１３】
図２（ａ）（ｂ）に示すように、器具本体４０は、灯具連結部端面部４６に向かって右側と左側とが略対象に形成されている。以下に、灯具連結部端面部４６に向かって左右に設けられている同一の構成部については、灯具連結部端面部４６に向かって右側に設けられた構成部の符号には添え字ａを付し、左側の構成部の符号には添え字ｂを付して表すものとする。例えば、灯具連結部端面部４６に向かって右側の側面部４２は側面部４２ａであり、灯具連結部端面部４６に向かって左側の側面部４２は側面部４２ｂと表す。また、側面部４２と記載した場合には、側面部４２ａ、４２ｂの両方を意味する場合、側面部４２ａ、４２ｂのうちの片方のみを意味する場合もあるものとする。
【００１４】
器具本体４０の長手方向の一方の端部（端面）である灯具連結部端面部４６は、半円形状に突き出しており、半円形状の曲面をなしている。器具本体４０の底面部４３の一方の端部において、半円形状に突き出している部分には、灯具部３０を器具本体４０に連結する灯具連結部３３を備える。
【００１５】
本実施の形態に係る器具本体４０では、灯具連結部端面部４６は半円状に突き出しており半円状の曲面をなしているが、灯具連結部端面部４６は平面でも構わない。あるいは、灯具連結部端面部４６が多角形をなしていてもよい。
【００１６】
灯具連結部３３には、アーム３２の一端部が可動に連結される。アーム３２の他端部は、灯具部３０に可動に連結される。灯具連結部３３は、器具本体４０とアーム３２とを可動に連結する。これにより、灯具部３０は、光源３１の光の照射方向を利用者の所望する方向へ向けることができる。
【００１７】
図２に示すように、器具本体４０（電源収納部）は、ダクトレール２０に着脱自在に取り付けられるダクトプラグ５０と、ダクトプラグ５０を回転動作させるレバー６０と、ダクトレール２０に引っかかる爪部７０（７０ａ、７０ｂ）と、爪部７０を可動させるボタン部８０（８０ａ，８０ｂ）（爪操作部）と、ダクトレール２０の開口溝２１に嵌り込むガイド部９０とを備える。また、図３に示すように、器具本体４０は、ボタン部８０の操作時に弾性力を持たせるバネ７１（７１ａ，７１ｂ）（弾性体）を備える。
【００１８】
図３は、図２の状態からガイド部９０を取り外した状態の器具本体４０を示す。
【００１９】
器具本体４０の取付面４４の一方の端部（灯具部３０が連結される側の端部）には、ダクトレール２０の開口溝２１（溝部）の所定の位置に固定されるダクトプラグ５０が配置される。ダクトプラグ５０は、器具本体４０の取付面４４の一方の端部に取り付けられ、ダクトレール２０に着脱自在に取り付け可能である。ダクトプラグ５０は、取付面４４の長手方向の両側の端部のうち、灯具部３０が取り付けられている側の端部に設けられている。つまり、ダクトプラグ５０は、底面部４３の灯具連結部３３の位置に対向する位置に配置される。
【００２０】
ダクトプラグ５０は、レバー６０を９０度回転させることにより、ダクトレール２０と導通と取るとともに、照明器具１００（器具本体４０）をダクトレール２０に固定する役割がある。
【００２１】
図４に示すように、ガイド部９０は、断面コ字状の直方体形状であり、取付面４４の幅方向（短手方向）の中央部Ｏ２の長手方向に沿って配置される。ガイド部９０は、断面コ字状の開口面が取付面４４に対向するように配置される。つまり、ガイド部９０は、取付面４４の幅方向（短手方向）の中央部Ｏ２に蓋をするような状態で配置される。ガイド部９０は、取付面４４と一体形成されていてもよいし、別部品でもよい。あるいは、ガイド部９０は、取付面４４の一部と一体形成されていてもよい。
【００２２】
ガイド部９０は、取付面４４に対して略直角に突き出したガイド部側面９１，９２（一対の壁部）を備える。ガイド部側面９１，９２は、取付面４４の幅方向（短手方向）中央部Ｏ２を挟んで、対向するように位置する。ガイド部９０は、開口面（すなわち、取付面４４）に対向するガイド部天面９３を備える。ただし、ガイド部天面９３は、無くても構わない。
【００２３】
ガイド部９０は、器具本体４０がダクトレール２０に取り付けられた場合に、ダクトレール２０の開口溝２１に嵌り込む。ガイド部９０は、ダクトレール２０の開口溝２１に嵌り込んで、器具本体４０がダクトレール２０に安定して取り付けられるようにする役割がある。つまり、一対のガイド部側面９１，９２（一対の壁部）の外面の幅は、ダクトレール２０の開口溝２１の幅に略等しいか、あるいは、ダクトレール２０の開口溝２１の幅よりやや短いことが望ましい。
【００２４】
ガイド部９０は、爪部７０の少なくとも一部をコ字形状の内部に収納するように設けられる。つまり、ガイド部９０は、爪部７０の少なくとも一部を覆うように設けられる。ガイド部側面９１，９２において、爪部７０ａ，７０ｂに対応する位置には、爪部７０の一部（突起部７３）を突出させる貫通孔９４ａ，９４ｂ（図２参照）が設けられている。
【００２５】
爪部７０は、突起部７３を備え、突起部７３の上部は、上部から下部に向かって徐々に広がるテーパー状である。取付面４４のガイド部９０を、開口溝２１に挿入して嵌め込むことにより、爪部７０が開口溝２１の両側の縁部２２に引っかかる。これにより、ダクトプラグ５０で照明器具１００を開口溝２１に固定する前に、照明器具１００をダクトレール２０の開口溝２１に仮固定することができる。
【００２６】
爪部７０（突起部）の断面形状は、引っかかり部分の平行部分の長さが２ｍｍ程度で、上部に斜面がある三角形状となっている。そのため、ガイド部９０をダクトレール２０に入れる時に照明器具１００を押し上げるだけで、斜面部分にそって爪部７０が押され、爪部７０はガイド部９０の内部に一時的に収納される。そして、ガイド部９０が開口溝２１内に完全に収納されると、爪部７０はバネ７１の力でガイド部側面９１，９２の貫通孔９４から飛び出し、ダクトレール２０の縁部２２に突起部７３が引っかかる。これにより、照明器具１００がダクトレール２０から落下しない状態となる。
【００２７】
図２に示すように、爪部７０は、器具本体４０をダクトレール２０に取り付ける時に、ダクトレール２０との位置決めとして使用されるガイド部９０の両側面にある。爪部７０は、取付面４４の領域のうち長手方向の中央部Ｏ１よりもダクトプラグ側の領域であるダクトプラグ側領域Ｒ１に配置される。
【００２８】
爪部７０は、ダクトプラグ側領域Ｒ１のさらに中心Ｏ３の近傍に配置されるのが望ましい。また、爪部７０は、ダクトプラグ側領域Ｒ１の領域であって、照明器具１００の重心近辺にあることが望ましい。照明器具１００の重心とは、器具本体４０に灯具部３０を連結した状態で、支点とすることにより照明器具１００が略水平に安定する箇所である。このような、照明器具１００の重心となる位置の近傍に爪部７０を設けることが望ましい。
【００２９】
爪部７０がダクトプラグ側領域Ｒ１の中心Ｏ３近傍に設けられることで、作業者は作業時に重い灯具部３０側を支えながら、爪部７０を仮固定する作業をすることができるので、作業性が向上する。爪部７０があまりにも端部に近すぎると、作業者が安定して照明器具１００を支えることができず、作業性が低下するからである。また、爪部７０がダクトプラグ側領域Ｒ１のさらに中心Ｏ３近傍に設けられることで、器具本体４０の灯具部３０側が仮固定され、安定した仮固定や位置決めをすることができる。
【００３０】
また、照明器具１００をダクトレール２０に仮固定した場合に、灯具部３０が連結された器具本体４０の重心近傍に爪部７０が配置されるので、重量の大きい灯具部３０であっても安定的に照明器具１００を仮固定することができ、作業性が向上する。
【００３１】
つまり、爪部７０は、ダクトプラグ側領域Ｒ１の領域のうちの長手方向の中央Ｏ３近傍であり、かつ、照明器具１００の重心近辺にあることが望ましい。
【００３２】
次に、図３と図５とを用いて、爪部７０の引っかけ構造について説明する。
【００３３】
爪部７０は、取付面４４側の端部から側面部４２まで延設された爪取付面８１（爪連結部）と、爪取付面８１（爪連結部）の縁部（先端部）に設けられ、側面部４２に設けられた切り欠き４７から露出するボタン部８０（爪操作部）とを備える。
【００３４】
図３に示すように、爪部７０は、Ｌ字形状の爪取付面８１から垂直に立設されている。ボタン部８０は、爪取付面８１のうちの長手方向に長い部分の爪取付面縁部８３から連続して設けられる。ボタン部８０は、爪取付面縁部８３から器具本体４０の側面部４２に沿って設けられる。側面部４２のボタン部８０に対応する位置には、ボタン部８０を器具本体４０の内部に押し込むことができるように、切り欠き４７が設けられている。
【００３５】
図３、図５に示すように、ボタン部８０と爪部７０とＬ字形状の爪取付面８１とは、一体構造となっており、左右の爪部７０（７０ａ、７０ｂ）が干渉しないように互い違いにＬ字形状が組み合う構造となっている。つまり、爪部７０ａと爪部７０ｂとは、ダクトプラグ側領域Ｒ１の長手方向の位置のうち互いに異なる位置に設けられる。
【００３６】
取付面４４の領域のうち、爪取付面８１ａ，８１ｂが配置されている領域は開口領域となっている。つまり、開口領域を爪取付面８１ａ，８１ｂが短手方向（Ｐ１−Ｐ２方向）にスライドすることにより、爪部７０がＰ１−Ｐ２方向にスライドする。
【００３７】
ボタン部８０は、器具本体４０の両側面にある。ボタン部８０を器具本体４０の中心方向に押すことで、爪部７０が取付面４４の短手方向にスライド可能である。
【００３８】
爪部７０は、突起部７３を備える突起面７６と、突起面７６の裏面である爪背面７５とを備える。爪部７０の背面である爪背面７５にはバネ７１が取り付けられる。
【００３９】
図５に示すように、バネ７１ａは、爪背面７５ａとガイド部側面９２の内壁との間に配置される。バネ７１ｂは、爪背面７５ｂとガイド部側面９１の内壁との間に配置される。バネ７１は、取付面４４の短手方向（Ｐ１−Ｐ２方向）に伸縮する弾性体である。
【００４０】
爪部７０の突起部７３は、ボタン部８０（爪操作部）に対して取付面４４の短手方向の中央方向に押す力が与えられた場合には、バネ７１（弾性体）が縮んで、突起部７３が貫通孔９４から突出しない。ボタン部８０（爪操作部）に対して押す力が解除された場合には、バネ７１の弾性力により突起が貫通孔９４から突出する。
【００４１】
ボタン部８０ａを器具本体４０の内部方向（Ｐ２方向）に押し込むことにより、爪部７０ａはＰ２方向に押され、バネ７１ａが爪背面７５ａに押されて縮み、爪部７１ａはガイド部９０内に引っ込む。ボタン部８０ａを離すことにより、バネ７１ａの縮みが解除され、バネ７１ａの弾性力で爪部７１ａが自動的にガイド部９０の貫通孔９４ａから突出する構造となっている。
【００４２】
本実施の形態の照明器具１００によれば、爪部７０、バネ７１の機能により、照明器具１００を施工する場合に、作業者は片手で照明器具１００をダクトレール２０に押し付けるだけで照明器具１００を仮固定することができ、照明器具１００が落下することがなくなる。作業者は、本固定となるダクトプラグ５０のレバー６０の操作時に照明器具１００から手を離すことが可能となり、作業性が向上する。
【００４３】
照明器具１００を取り外す場合は、レバー６０を９０°回転させてダクトプラグ５０による本固定を解除した後に、更にボタン部８０を押し込む動作をして爪部７０の引っかかりを解除する。このように、２段階の操作をしないと照明器具１００がダクトレール２０から取り外せない構造となっているため、照明器具１００を押さえながら、レバー６０を操作する必要がないため、作業がしやすい。
【００４４】
ボタン部８０の位置が照明器具１００の重心近くにあるため、ボタン部８０を押して照明器具１００を取り外す場合も、照明器具１００がダクトレール２０から外れたときには、すでに照明器具１００の重心近くを掴んだ状態となっているため、誤って照明器具１００を落としたりしにくい状態で照明器具１００を取り外すことが可能である。
【００４５】
爪部７０が左右で互い違いとなっているので、長手方向の広い距離で照明器具１００を支える構造となっており、また、爪部７０が重心近辺を支える構造となっている。このため、爪部７０だけで照明器具１００を安定的に支えることができ、照明器具１００とダクトレール２０の間の隙間の発生を防止することができる。また、ダクトプラグ５０が破損した場合でも爪部７０のみで照明器具１００を支えることが可能なため、照明器具１００の落下を防ぐ機能もある。
【００４６】
実施の形態２．
本実施の形態では、実施の形態１に係る器具本体４０と比べて、爪部７０のスライド構造が異なる器具本体４０ｅについて説明する。
【００４７】
図６は、本実施の形態に係る器具本体４０ｅを示す図であり、（ａ）はダクトプラグ５０側から視た斜視図、（ｂ）はダクトプラグ５０の反対側から視た斜視図である。図７は、本実施の形態に係る器具本体４０ｅのダクトプラグ５０及び爪部７０近傍の部分拡大斜視図である。図８は、本実施の形態に係る爪部７０部分を上方から視た模式図である。
【００４８】
本実施の形態において、実施の形態１と同様の構造については、同符号を付し、その説明を省略する。
【００４９】
図６に示すように、器具本体４０ｅでは、ボタン部８０ａは灯具連結部端面部４６に向かって右側の側面部４２ａにのみ設けられている。また、器具本体４０ｅでは、ボタン部８０ａが押されると、ガイド部９０の一方の側面であるガイド部側面９１から突出している爪部７０ａがＰ２方向にスライドする。
【００５０】
また、ガイド部側面９２には、爪部７０ａがＰ２方向にスライドするのに連動して、Ｐ１方向にスライドする連動爪１２０が設けられている。
【００５１】
図７は、器具本体４０ｅにおいてガイド部９０を取り外した状態の爪部７０の部分である。爪取付面８１のＬ字形状の取付面４４の短手方向に延びた部分を爪取付部８２（８２ａ，８２ｂ）とする。
【００５２】
爪取付部８２ａと爪取付部８２ｂとの間には、歯車１１０が配置される。爪取付部８２ａと爪取付部８２ｂとの対向する縁部であって、歯車１１０と対応する縁部には、歯車１１０の歯と嵌め合うかぎ部８５ａ，８５ｂが形成される。
【００５３】
ボタン部８０ａがＰ２方向に押されると、爪取付部８２ａがＰ２方向にスライドし爪部７０ａがＰ２方向にスライドする。爪部７０ａのスライドに連動して、歯車１１０がＰ５方向に回転する。歯車１１０がＰ５方向に回転すると、歯車１１０の回転に連動して爪取付部８２ｂがＰ１方向にスライドし、連動爪１２０がＰ１方向にスライドする。
【００５４】
このように、ボタン部８０ａがＰ２方向に押され、爪部７０ａがガイド部９０の内部に収納されると同時に連動爪１２０もガイド部９０の内部に収納される。
【００５５】
本実施の形態に係る器具本体４０ｅによれば、ボタン部８０ａは、器具本体４０ｅの片側一方（側面部４２ａ）にのみ取り付けられる。反対側の連動爪１２０は、歯車１１０にてボタン８０ａ側の爪部７０ａと連動して動く。ボタン部８０ａの可動スペースが片側のみとなるため、器具本体４０ｅの内部の電源回路等の収納スペースが大きくとれる利点がある。
【００５６】
ボタン部８０ａの配置は、端面部４５側から灯具部３０側に向かって左側（灯具連結部端面部４６に向かって右側）に設けるのが望ましい。これは、右手で照明器具１００をもつ時に親指が自然とボタン部８０ａにあたる位置になるため、ボタン部８０ａを押しながら照明器具１００を取り外す作業がしやすくなるためである。
【００５７】
実施の形態３．
本実施の形態では、実施の形態２の器具本体４０ｅに対してボタン部８０ａをロックする機構を備えたものである。
【００５８】
図９は、本実施の形態に係る器具本体４０ｆのロック機構を示す図であり、ボタン部８０ａをロックする前の状態を示す図である。図１０は、本実施の形態に係る器具本体４０ｆのロック機構を示す図であり、ボタン部８０ａをロックした状態を示す図である。
【００５９】
本実施の形態において、実施の形態１及び実施の形態２と同様の構造については、同符号を付し、その説明を省略する。
【００６０】
本実施の形態に係るダクトプラグ５０ｆは、つば部５２と、端子５１と、レバー摘み部６１と、レバー６０と、レバー回転部６２と、レバー連動突起１４０とを備える。
【００６１】
作業者は、ダクトプラグ５０ｆの図９の状態のつば部５２（つば部５２が長手方向に沿った状態のつば部５２）をダクトレール２０の開口溝に挿入し、レバー摘み部６１によりレバー６０をＰ１０方向に９０度回転させる。これにより、つば部５２が開口溝の内部で図１０の状態（つば部５２短手方向に延びた状態）となり、ダクトプラグ５０ｆが開口溝に固定される。
【００６２】
このとき、つば部５２が取り付けられているレバー回転部６２もＰ１０方向に９０度回転するので、レバー回転部６２の外周に設けられたレバー連動突起１４０もＰ１０方向に９０度回転する。
【００６３】
器具本体４０ｆの側面部４２ａには、ボタン部８０ａがＰ２方向に押されないようにロックするストッパー部１３０を備える。
【００６４】
器具本体４０ｆの側面部４２ａには、ストッパー部１３０に対応する切り欠き部４９ａが形成される。ストッパー部１３０は、ストッパー端部１３３と、ストッパースライド部１３１と、レバー連動突起受１３２とを備える。
【００６５】
ストッパー端部１３３は、ボタン部８０ａの内側に入り込んでボタン部８０ａが押されないようにロックする部位である。ストッパースライド部１３１は、ストッパー端部１３３と一体成形され、切り欠き部４９ａから露出して長手方向にストッパー部１３０（ストッパー端部１３３）をスライドさせる。レバー連動突起受１３２は、レバー回転部６２の外周近傍に配置され、ストッパースライド部１３１から連続して形成される。
【００６６】
レバー連動突起受１３２の端面は、レバー６０が９０度回転した場合に、同時に回転したレバー連動突起１４０と当接するレバー連動突起受面１３４となっている。
【００６７】
図１０に示すように、レバー連動突起１４０はレバー６０の回転に連動して、Ｐ２０の位置（図９参照）からＰ２１の位置に移動する。レバー連動突起１４０はレバー連動突起受面１３４と当接して、レバー連動突起受１３２をＰ１１方向へ移動させる。これにより、ストッパー部１３０全体がＰ１１方向へスライドし、ストッパー部１３０の端部であるストッパー端部１３３がボタン部８０ａの内側へ入り込む。この状態でボタン部８０ａをＰ２方向に押しても、ストッパー端部１３３がストッパーとなりボタン部８０ａはＰ２方向へ移動することはない。
【００６８】
以上のように、本実施の形態に係る器具本体４０ｆでは、ストッパースライド部１３１（スライドボタン）をボタン部８０ａ方向（Ｐ１１の方向）にスライドさせることにより、ストッパースライド部１３１（スライドボタン）に連続するストッパー端部１３３がボタン部８０ａと器具本体４０の間に入りこみ、ボタン部８０ａのストロークを阻害する。これによりボタン部８０ａを押し込むことができず、爪部７０による照明器具１００の取り付け（仮固定）の解除ができず、ダクトレール２０から器具本体４０ｆ（照明器具１００ｆ）を取り外すことができなくなる。器具本体４０ｆ（照明器具１００ｆ）を取り外すにはストッパースライド部１３１（スライドボタン）をスライドさせて解除操作をする必要があり、不用意に器具本体４０ｆ（照明器具１００ｆ）が外れることを防止できる。
【００６９】
本実施の形態に係る器具本体４０ｆ（照明器具１００ｆ）によれば、器具本体４０ｆ（照明器具１００ｆ）の本固定のためにレバー６０を９０°回転させる操作をすることにより、レバー６０に連動するレバー連動突起１４０がストッパースライド部１３１（スライドボタン）と一体構造であるストッパー端部１３３を押し込む動作をする。
【００７０】
このように、照明器具１００ｆをダクトレール２０に本固定すると自動的にストッパースライド部１３１（スライドボタン）と一体構造であるストッパー端部１３３をスライドし、ボタン部８０ａをロックすることができる。したがって、ストッパースライド部１３１（スライドボタン）によるロック操作忘れを防止でき、確実にロック機能を働かせることが可能である。
【００７１】
本実施の形態では、実施の形態２に係る器具本体４０ｅに対して、本実施の形態に係るロック機構を組み合わせた器具本体４０ｆについて説明した。しかし、例えば、実施の形態１に係る器具本体４０に対して、本実施の形態に係るロック機構を組み合わせてもよい。
【００７２】
以上、実施の形態１〜３について説明したが、これらのうち、２つの実施の形態を組み合わせて実施しても構わない。あるいは、これらのうち、１つの実施の形態を部分的に実施しても構わない。あるいは、これらのうち、２つの実施の形態を部分的に実施しても構わない。あるいは、これらのうち、３つの実施の形態を部分的に組み合わせて実施しても構わない。
【符号の説明】
【００７３】
２０  ダクトレール、２１  開口溝、２２  縁部、２３  天井面取付面、２４  ダクトレール下面部、３０  灯具部、３１  光源、３２  アーム、３３  灯具連結部、４０  器具本体、４２  側面部、４３  底面部、４４  取付面、４５  端面部、４６  灯具連結部端面部、４７  切り欠き、４９  切り欠き部、５０  ダクトプラグ、５１  端子、５２  つば部、６０  レバー、６１  レバー摘み部、６２  レバー回転部、７０  爪部、７１  バネ、７３  突起部、７５  爪背面、８０  ボタン部、８１  爪取付面、８２  爪取付部、８３  爪取付面縁部、８５  かぎ部、９０  ガイド部、９１，９２  ガイド部側面、９３  ガイド部天面、９４  貫通孔、１００  照明器具、１１０  歯車、１２０  連動爪、１３０  ストッパー部、１３１  ストッパースライド部、１３２  レバー連動突起受、１３３  ストッパー端部、１３４  レバー連動突起受面、１４０  レバー連動突起。
【図１】
0005693318.tif 000002
【図２】
0005693318.tif 000003
【図３】
0005693318.tif 000004
【図４】
0005693318.tif 000005
【図５】
0005693318.tif 000006
【図６】
0005693318.tif 000007
【図７】
0005693318.tif 000008
【図８】
0005693318.tif 000009
【図９】
0005693318.tif 000010
【図１０】
0005693318.tif 000011